(57)【特許請求の範囲】
【請求項１】
底板と、左右の側板と、背板と、側板及び背板よりも上下寸法を長寸とした前板と、に囲まれた内方に、上方に開放する収納部を形成し、前記側板上方で前板と背板間に掛け渡された桟材と、を備える引き出しにおいて、
前記桟材に対応して形成された嵌合部を前記桟材に対して嵌合させることで、上端部が前記背板上面以上の高さに位置するとともに、前記側板の上方の少なくとも一部を閉塞するサイドカバーを備え、
前記前板は、該前板の背面に前記サイドカバーの前端部を係止可能な係止部を備えていることを特徴とする引き出し。
【請求項２】
前記係止部は、前記前板の左右幅方向に長寸に延設されたハンギングレールの左右幅方向側の両端部であり、該ハンギングレールの中央部には、前記収納部内に配置される収納ボックスが係止されていることを特徴とする請求項２に記載の引き出し。
【請求項３】
前記サイドカバーの下端部は、少なくとも前記側板の上端部まで延設されることを特徴とする請求項１または２のいずれかに記載の引き出し。
【請求項４】
前記サイドカバーは、前記嵌合部が形成され前記桟材よりも上方を閉塞する上部カバーと、該上部カバーに着脱自在であり前記桟材よりも下方を閉塞可能な下部カバーとから構成されていることを特徴とする請求項３に記載の引き出し。
【請求項５】
前記下部カバーにも嵌合部が形成されていることを特徴とする請求項４に記載の引き出し。
【発明の詳細な説明】
【技術分野】
【０００１】
本発明は、底板と、左右の側板と、背板と、側板及び背板よりも上下寸法を長寸とした前板と、に囲まれた内方に、上方に開放する収納部を形成し、側板上方で前板と背板間に掛け渡された桟材と、を備える引き出しに関する。
【背景技術】
【０００２】
従来の引き出しは、少なくとも底板と前板と背板と、前板及び背板よりも上下幅寸法が短寸に形成された左右の側板とから構成され、側板の上方において前板と背板との間に桟材が掛け渡されている。このような引き出しには、上下端部にそれぞれ側板の上端部と桟材とに嵌合可能な嵌合凹部を有するクリップを介して側部カバーを取り付けることにより桟材と側板との間を閉塞し、引き出しの側部からの収納物の溢れ（落下）を防止しているものがある(例えば特許文献１参照)。
【先行技術文献】
【特許文献】
【０００３】
【特許文献１】特開２００９−８２４８５号公報（第３頁、第１図）
【発明の概要】
【発明が解決しようとする課題】
【０００４】
しかしながら、特許文献１にあっては、クリップの上下端部に設けられた嵌合凹部をそれぞれ側板と桟材とに嵌合しなければ側部カバーを取り付けることができないとともに、背板に掛け渡されている桟材の高さよりも上方（背板よりも高い位置）からの収納物の溢れ（落下）は防止できないという問題がある。
【０００５】
本発明は、このような問題点に着目してなされたもので、引き出しに対して容易に取り付けられ、引き出しの側部である桟材上方からの収納物の落下を防止することができるサイドカバーを有する引き出しを提供することを目的とする。
【課題を解決するための手段】
【０００６】
前記課題を解決するために、本発明の引き出しは、
底板と、左右の側板と、背板と、側板及び背板よりも上下寸法を長寸とした前板と、に囲まれた内方に、上方に開放する収納部を形成し、前記側板上方で前板と背板間に掛け渡された桟材と、を備える引き出しにおいて、
前記桟材に対応して形成された嵌合部を前記桟材に対して嵌合させることで、上端部が前記背板上面以上の高さに位置するとともに、前記側板の上方の少なくとも一部を閉塞するサイドカバーを備え、
前記前板は、該前板の背面に前記サイドカバーの前端部を係止可能な係止部を備えていることを特徴としている。
この特徴によれば、嵌合部を桟材に対して嵌合させるのみで容易にサイドカバーによって背板よりも上方である側板の上方を閉塞することができるので、収納部で収納物をサイドカバーに立て掛けて収納しても、収納物が引き出しから落下しないようサイドカバーによって収納物を安定して収納しておくことができる。この特徴によれば、嵌合部を桟材に対して嵌合させるのみで容易にサイドカバーによって背板よりも上方である側板の上方を閉塞することができるので、収納部で収納物をサイドカバーに立て掛けて収納しても、収納物が引き出しから落下しないようサイドカバーによって収納物を安定して収納しておくことができる。また、サイドカバーを嵌合部による桟材への嵌合とサイドカバーの前端部による係止部への係止によって、桟材の周方向に回動しないよう安定させ、引き出し側部の桟材の上方を閉塞させることができる。
【０００８】
本発明の引き出しは、
前記係止部は、前記前板の左右幅方向に長寸に延設されたハンギングレールの左右幅方向側の両端部であり、該ハンギングレールの中央部には、前記収納部内に配置される収納ボックスが係止されていることを特徴としている。
この特徴によれば、収納ボックスを係止するためのハンギングレールを、サイドカバーの前端部を係止する係止部として兼用することができるので、引き出しの部品点数を減らし構造を簡素化することができる。
【０００９】
本発明の引き出しは、
前記サイドカバーの下端部は、少なくとも前記側板の上端部まで延設されることを特徴としている。
この特徴によれば、サイドカバーによって引き出しの側部における桟材の上方と、桟材と側板との間の全てを閉塞することができる。
【００１０】
本発明の引き出しは、
前記サイドカバーは、前記嵌合部が形成され前記桟材よりも上方を閉塞する上部カバーと、該上部カバーに着脱自在であり前記桟材よりも下方を閉塞可能な下部カバーとから構成されていることを特徴としている。
この特徴によれば、サイドカバーを上下で分割して成形できるため、一体成形では型抜きが困難な複雑な成形にあっても型抜き可能に分離して成形でき、また、デザイン的にも上下で樹脂色を違えて引き出し側部の意匠性を高めることができる。またさらに、下部カバーを取り外した上部カバーのみで引き出しの側部における桟材よりも上方を閉塞することで桟材と側板との間に間隙を形成し、この間隙を介して収納部内に流入する気流によって収納部内に湿気が滞留してしまうことを防止することもできる。
【００１１】
本発明の引き出しは、
前記下部カバーにも嵌合部が形成されていることを特徴としている。
この特徴によれば、引き出しの側部を、上部カバーの嵌合部を桟材に嵌合させることによる桟材の上方のみの閉塞と、上部カバーを取り外した下部カバーの嵌合部を桟材に嵌合させることによる桟材の上方及び桟材と側板との間の閉塞と、を引き出しの使用状況に応じて選択することができる。
【図面の簡単な説明】
【００１２】
【図１】実施例における引き出しの平面図である。
【図２】引き出しを示す斜視図である。
【図３】図１における引き出しのＡ−Ａ断面図である。
【図４】図１における引き出しのＢ−Ｂ断面図である。
【図５】図１における引き出しのＣ−Ｃ断面図である。
【図６】変形例における桟材に上部カバーが嵌合した状態を示す断面図である。
【発明を実施するための形態】
【００１３】
本発明に係る引き出しを実施するための形態を実施例に基づいて以下に説明する。
【実施例】
【００１４】
実施例に係る引き出しにつき、図１から図６を参照して説明する。以下、図１の紙面上方側、図３及び図４の紙面右側、図５及び図６の紙面手前側を引き出しの正面側（前方側）として説明する。
【００１５】
先ず図１の符号１は、本発明の適用された引き出しである。この引き出し１は、図１及び図２示すように、底板２と、左右の側板３，３と、両側板３よりも上下幅寸法が長寸に形成された背板４と、左右の側板３及び背板４よりも上下幅寸法が長寸に形成された前板５とを備え、これら底板２、両側板３，３、背板４、及び前板５により囲まれた内方には、上方に開放する方形の収納部６が形成されている。
【００１６】
また、引き出し１の左右側部である両側板３，３の上方には、前板５と背板４との対向面間に亘って丸棒状（図５参照）の桟材１５が架設されており、引き出し１の強度の向上が図られている。図１及び図４に示すように、これら桟材１５には、引き出し１の上方からサイドカバー１４が取り付けられている。
【００１７】
これらサイドカバー１４は、前板５と背板４との対向面間の前後幅寸法と略同一の前後幅寸法に形成されている。更に、サイドカバー１４は、桟材１５に取り付けられることで上端部が背板４の上端部よりも上方に配置されるとともに、下端部が収納部６内における側板３の上端部よりも下方に配置される。このため、本実施例におけるサイドカバー１４は、引き出し１の左右側部における桟材１５の上方及び桟材１５と側板３との間の全てを閉塞している。
【００１８】
図３に示すように、底板２は、その前端が前板５の背面の下端部に断面Ｌ字状の連結金具５aを用いてビス等で螺着固定され、引き出しの収納部６を大収納部９と小収納部８に仕切る区画部材７が前板５の背面よりに底板２に載置する形で配置されている。
【００１９】
この区画部材７は、底板２の上面に当接配置される水平片７ａと、その後端より起立する、左右幅寸法が左右の側板３，３の対向面間の寸法よりも若干短寸の起立片７ｂと、水平片７ａの前端より起立する取付片７ｃと、からなり、側面形状が略前向きＪ字状断面に形成されている。起立片７ｂは、収納部６内を、前板５の背面側の小収納部８と、その後方の大収納部９とに区画する左右方向の仕切板を兼ねている。
【００２０】
なお、取付片７ｃの前面側の上端部には、下向き鉤状の取付爪が形成され、前板５の下部に設けられた止着部材５ｂに上側から嵌合係止され、区画部材７の引き出しの奥行き方向への移動を規制し、この嵌合係止と水平片７aの底板２の上面への当接で区画部材７が安定して着脱自在に配設されている。
【００２１】
小収納部８には、まな板や包丁等の調理用具を収納する複数(本実施形態では３個)の収納ボックス１０が、取外し可能に収容されている。各収納ボックス１０の上面は、前上方に向かってなだらかに湾曲する傾斜面１０ａとされ、かつ上面同士は互いに同一面に整合している。なお、各収納ボックス１０の上面は、平坦面またはその他の形状としてもよい。
【００２２】
図３に示すように、各収納ボックス１０の正面側の上端部には、下向き鉤状の係止爪１１が形成されている。一方、各収納ボックス１０の背面側の上端部には、下向き鈎状の係止爪１２が形成されている。このうち係止爪１１は、前板５の背面に前板５の左右幅方向に向けて延設されたハンギングレール１３に上方から着脱自在に係止可能となっているとともに、係止爪１２は、起立片７ｂの上端部に上方より着脱自在に係止可能となっている。この係止爪１１のハンギングレール１３への係止によって、各収納ボックス１０はハンギングレール１３の左右幅方向の中央部に連なって配置される。
【００２３】
このため、各収納ボックス１０は、係止爪１１をハンギングレール１３に係止させるとともに係止爪１２を起立片７ｂの上端部に係止させることで、小収納部８に取り外し可能に安定して収納されている。尚、起立片７ｂの上端部は、若干前向きに折り曲げられて起立し、係止爪１２の後面と起立片７ｂの後面とが同一面をなすように形成されている。
【００２４】
次に、サイドカバー１４の構成について詳述する。図４及び図５に示すように、サイドカバー１４は、主に桟材１５の上方を閉塞するための上部カバー１６と、上部カバー１６に着脱自在であり主に桟材１５と側板３との間を閉塞するための下部カバー１７と、から構成されている。これら上部カバー１６と下部カバー１７とは、ともに樹脂材により構成されているとともに前板５と背板４との対向面間の幅寸法と略同一の前後幅寸法に形成されている。
【００２５】
このうち上部カバー１６には、図５に示すように、下方に向けて開口する挿通溝１６ａが上部カバー１６の前後幅方向に亘って貫通形成されている。更に、上部カバー１６の下端部には、桟材１５に上方から嵌合するために下方に向けて開口する嵌合部１６ｂが前後幅方向に向けて複数（本実施例では最前部の１つのみ図示）形成されている。これら嵌合部１６ｂの下端部の左右幅寸法は桟材１５の直径よりも短寸に形成されている。このため、本実施例のサイドカバー１４は、嵌合部１６ｂを桟材１５に対して上方から押圧することで弾性変形させ、嵌合部１６ｂの下端部の左右幅寸法を押し拡げることで嵌合部１６ｂを桟材１５に対して嵌合させるようになっている。
【００２６】
尚、これら嵌合部１６ｂによって挿通溝１６ａの下方への開口が一部閉塞されているとともに、嵌合部１６ｂの引き出し１における収納部６内側に配置される上端部と挿通溝１６ａの下端部との間には、引き出し１の収納部６に向けて開口する間隙１８が形成されている。
【００２７】
また、図４に示すように、上部カバー１６の前部は、上面が前上方に向かって各収納ボックス１０の傾斜面１０ａと同様になだらかに湾曲する傾斜面１６ｃに形成されており、正面側の上端部には下向き鉤状の係止爪１６ｄが形成されている。
【００２８】
この係止爪１６ｄは、ハンギングレール１３の左右方向の端部に上方から係止可能と成っている。このため、サイドカバー１４は、嵌合部１６ｂを桟材１５に対して嵌合させるとともに係止爪１６ｄをハンギングレール１３に係止させることで、桟材１５の周方向に回動しないよう固定される。尚、上部カバー１６に形成された傾斜面１６ｃは、上部カバー１６が嵌合部１６ｂを桟材１５に対して嵌合させることで、各収納ボックス１０の傾斜面１０ａと面一に配置される。つまり、本実施例のハンギングレール１３は、本発明における係止部を構成している。
【００２９】
一方、下部カバー１７は、上部に上部カバー１６の挿通溝１６ａに対して前後方向から挿通される挿通部１７ａを備えている。この挿通部１７ａの下端部は、上部カバー１６の挿通溝１６ａの下部の嵌合部１６ｂの上面部に載置される嵌合部１７ｂとして形成されており、一方、その挿通部１７ａの上側の上辺部は挿通溝１６ａの内部の上面とで挟まれて挿通部１７ａの上下動を規制している。またさらに、挿通部１７ａは挿通溝１６ａの両壁にも狭持させ左右方向の動きも規制するように形成している。そのため、挿通溝１６ａ内に挿通された下部カバー１７の挿通部１７ａは、上部カバー１６の一部である嵌合部１６ｂの上面に嵌合部１７ｂを当接させることで挿通溝１６ａ内に挿通されている状態を維持することが可能となっている。
【００３０】
また、挿通部１７ａの下端部における引き出し１の左右幅方向の中央部を向く側端部からは、下方に向けて側板部１７ｃが延設されている。この側板部１７ｃは、挿通部１７ａの挿通溝１６ａ内における上部カバー１６の前後方向への移動に伴って上端部を間隙１８内で上部カバー１６の前後方向にスライド移動させることで、上部カバー１６の下方に配置される。
【００３１】
このように上部カバー１６と下部カバー１７とで構成されたサイドカバー１４は、前述したように上部カバー１６に形成された嵌合部１６ｂを桟材１５に嵌合させるとともに係止爪１６ｄをハンギングレール１３の左右方向の端部に係止させることで、上部カバー１６の上端部を背板４上面よりも上方に配置させる。同時に、下部カバー１７の側板部１７ｃの下端部を側板３の上端部よりも収納部６内の内側で下方に配置させ、引き出し１の側部である桟材１５よりも上方と桟材１５と側板３との間を閉塞する。
【００３２】
尚、本実施例では、前述のように上部カバー１６と下部カバー１７とで引き出し１の側部である桟材１５の上方と桟材１５と側板３との間を閉塞したが、変形例として図６に示すように上部カバー１６から下部カバー１７を取り外し、サイドカバー１４を上部カバー１６のみの状態で嵌合部１６ｂを桟材１５に嵌合させ、桟材１５の上方のみを閉塞するようにしてもよい。この場合は、桟材１５と側板３との間に間隙１９が生じるため、この間隙１９から収納部６内に気流を流入させて収納部６内に湿気が滞留してしまうことを防止することができる。
【００３３】
更に尚、特に図示しないが、更に変形例として上部カバー１６から下部カバー１７を取り外し、下部カバー１７の嵌合部１７ｂを上部カバー１６の嵌合部１６ａと同様の形状に置換えて、上方から桟材１５の上端部に嵌合させることで、挿通部１７ａにより桟材１５の上方を閉塞するともに、側板部１７ｃにより桟材１５と側板３との間を閉塞するようにしてもよい。この場合にも、下部カバー１７の挿通部１７ａの上端部が背板４上面よりも上方に配置されることで、引き出し１の側部である桟材１５の上方と桟材１５と側板３との間を閉塞することが可能である。
【００３４】
以上、本実施例における引き出し１にあっては、桟材１５に対応して形成された嵌合部１６ｂを桟材１５に対して嵌合させることで、上端部が背板４上面以上の高さに位置するとともに、側板３の上方の少なくとも一部を閉塞するサイドカバー１４を備えるので、嵌合部１６ｂを桟材１５に対して嵌合させるのみで容易にサイドカバー１４によって背板４よりも上方である側板３の上方を閉塞することができるので、収納部６で収納物をサイドカバー１４に立て掛けて収納しても、収納物が引き出し１から落下しないようサイドカバー１４によって収納物を安定して収納しておくことができる。
【００３５】
また、前板５は、前板５の背面にサイドカバー１４の前端部を係止可能な係止部を備えているので、サイドカバー１４を嵌合部１６ｂによる桟材１５への嵌合とサイドカバー１４の前端部による係止部への係止によって、桟材１５の周方向に回動しないよう安定させ、引き出し１側部の桟材１５の上方を閉塞させることができる。
【００３６】
また、係止部は、前板の左右幅方向に長寸に延設されたハンギングレール１３の左右幅方向側の両端部であり、ハンギングレール１３の中央部には、収納部６内に配置される収納ボックス１０が係止されているので、収納ボックス１０を係止するためのハンギングレール１３を、サイドカバー１４の前端部を係止する係止部として兼用することができるので、引き出し１の部品点数を減らし構造を簡素化することができる。
【００３７】
また、サイドカバー１４の下端部は、少なくとも側板３の上端部まで延設されるので、サイドカバー１４によって引き出し１の側部における桟材１５の上方と、桟材１５と側板３との間の全てを閉塞することができる。
【００３８】
また、サイドカバー１４は、嵌合部１６ｂが形成され桟材１５よりも上方を閉塞する上部カバー１６と、上部カバー１６に着脱自在であり桟材１５よりも下方を閉塞可能な下部カバー１７とから構成されているので、サイドカバー１４を上下で分割して成形できるため、一体成形では型抜きが困難な複雑な成形にあっても型抜き可能に分離して成形でき、また、デザイン的にも上下で樹脂色を違えて引き出し側部の意匠性を高めることができる。またさらに、下部カバー１７を取り外した上部カバー１６のみで引き出し１の側部における桟材１５よりも上方を閉塞することで桟材１５と側板３との間に間隙１９を形成し、この間隙１９を介して収納部６内に流入する気流によって収納部６内に湿気が滞留してしまうことも防止することができる。
【００３９】
また、下部カバー１７にも嵌合部１７ｂが形成されているので、引き出し１の側部を、上部カバー１６の嵌合部１６ｂを桟材１５に嵌合させることによる桟材１５の上方のみの閉塞と、上部カバー１６を取り外した下部カバー１７の嵌合部１７ｂを桟材１５に嵌合させることによる桟材１５の上方及び桟材１５と側板３との間の閉塞と、を引き出しの使用状況に応じて選択することができる。
【００４０】
以上、本発明の実施例を図面により説明してきたが、具体的な構成はこれら実施例に限られるものではなく、本発明の要旨を逸脱しない範囲における変更や追加があっても本発明に含まれる。
【００４１】
例えば、前記実施例では、サイドカバー１４を上部カバー１６とこの上部カバー１６に着脱自在な下部カバー１７とで構成し、上部カバー１６のみによる桟材１５の上方の閉塞と、下部カバー１７のみによる桟材１５の上方及び桟材１５と側板３との間の閉塞とを選択可能として説明したが、背板４の上方である桟材１５の上方を閉塞可能であればサイドカバー１４は上部カバー１６と下部カバー１７とからなる分割構造でなくともよい。
【００４２】
また、前記実施例では、サイドカバー１４を桟材１５に取り付けることで、引き出し１の左右側部における桟材１５の上方及び桟材１５と側板３との間の全てを閉塞したが、サイドカバー１４の一部に引き出し１の左右幅方向を向く孔を貫通形成する他、サイドカバー１４をメッシュ材等で構成することにより、引き出し１の左右側部における桟材１５の上方及び桟材１５と側板３との間を完全に覆わずに一部のみを閉塞するようにしてもよい。
【符号の説明】
【００４３】
１                引き出し
２                底板
３                側板
４                背板
５                前板
６                収納部
１０              収納ボックス
１３              ハンギングレール（係止部）
１４              サイドカバー
１５              桟材
１６              上部カバー
１６ｂ            嵌合部
１７              下部カバー
１７ｂ            嵌合部
１８，１９        間隙
【図１】
0005688960.tif 000002
【図２】
0005688960.tif 000003
【図３】
0005688960.tif 000004
【図４】
0005688960.tif 000005
【図５】
0005688960.tif 000006
【図６】
0005688960.tif 000007